(57)【要約】【課題】  工事費の節減が可能なトンネル通路の施工方法を提供し、かつ現場での工程を極力減らし、工期を大幅に短縮できるトンネル通路の通路形成部材を提供する。【解決手段】  トンネル幅方向端部に設けられる通路の施工方法であって、トンネルの側壁と間隔をおいて水路用部材を敷設し、水路用部材とトンネル側壁との間には、あらかじめ形成された、基礎片と基礎片の一端より略垂直に立ち上がる通路壁片とにより略Ｌ字状をなし、かつ基礎片の中央には貫通孔が設けられた通路壁用部材を、通路壁片につき垂直方向へ向けて立設すると共に、トンネル長手方向に接続して設置してなり、通路壁片とトンネル側壁との間からコンクリートを打設し、打設したコンクリートにつき基礎片の貫通孔を通過させて一体化させた、ことを特徴とする。【選択図】              図１
2007198039.tif 000002
【特許請求の範囲】
【請求項１】
トンネル幅方向端部に設けられる通路の施工方法であって、
トンネルの側壁と間隔をおいて水路用部材を敷設し、該水路用部材とトンネル側壁との間には、あらかじめ形成された、基礎片と基礎片の一端より略垂直に立ち上がる通路壁片とにより略Ｌ字状をなし、かつ基礎片の中央には貫通孔が設けられた通路壁用部材を、前記通路壁片につき垂直方向へ向けて立設すると共に、トンネル長手方向に接続して設置してなり、
該通路壁片とトンネル側壁との間からコンクリートを打設し、打設したコンクリートにつき前記基礎片の貫通孔を通過させて一体化させた、
ことを特徴とするトンネル通路施工方法。
【請求項２】
トンネル幅方向端部に設けられる通路の施工方法であって、
トンネルの側壁と間隔をおいて水路用部材を敷設し、該水路用部材とトンネル側壁との間には、あらかじめ形成された、基礎片と基礎片の一端より略垂直に立ち上がる通路壁片とにより略Ｌ字状をなし、かつ基礎片の中央には貫通孔が設けられた通路壁用部材を、前記通路壁片につき垂直方向へ向けて立設すると共に、トンネル長手方向に接続して設置してなり、
該通路壁片とトンネル側壁との間及び水路用部材と前記通路壁片との間からコンクリートを打設し、打設したコンクリートにつき前記基礎片の貫通孔を通過させて一体化させた、
ことを特徴とするトンネル通路施工方法。
【請求項３】
トンネル幅方向端部に設けられる通路の施工方法であって、
トンネルの側壁と間隔をおいて水路用部材を敷設し、該水路用部材とトンネル側壁との間には、あらかじめ形成された、基礎片と基礎片の一端より略垂直に立ち上がる通路壁片とにより略Ｌ字状をなし、かつ基礎片の中央には貫通孔が設けられた通路壁用部材を、前記通路壁片につき垂直方向へ向けて立設すると共に、トンネル長手方向に接続して設置してなり、
該通路壁片とトンネル側壁との間からコンクリートを打設し、打設したコンクリートにつき前記基礎片の貫通孔を通過させて一体化させると共に、前記基礎片上に所定厚みの基礎コンクリート部を形成し、前記通路壁片とトンネル側壁とのスペースに配線路部材あるいは埋設路部材を配置し、前記通路壁片先端とトンネル側壁間をコンクリートでシールした、
ことを特徴とするトンネル通路施工方法。
【請求項４】
基礎片と基礎片の一端より略垂直に立ち上がる通路壁片とにより略Ｌ字状をなし、かつ基礎片の中央には基礎片上下方向へ貫通する貫通孔が設けられ、該貫通孔内に補強筋が露出して配置された、
ことを特徴とする通路壁用部材。
【発明の詳細な説明】
【技術分野】
【０００１】
本発明は、トンネル内の幅方向端部に通常埋設形成される通路の施工方法に係り、特に、該通路の下部に各種の電線、通信線、配水管及び各種信号線等を収納する配線管路が設けられるトンネル通路の施工方法及び通路形成部材に関するものである。
【背景技術】
【０００２】
従来、トンネル長手方向端部にトンネル内監視員用の通路を形成する擁壁構造及び擁壁構造用部材（特開２００２−３２７６００号公報参照）が提案されている。
この従来提案では、トンネル断面を大きくする必要なしに、路面からの排水とトンネル側壁からの湧水の排除処理を的確に行え、また工事費の節減が可能なトンネル内監視員通路の擁壁構造が提供でき、かつ現場での工程を極力減らし、工期を大幅に短縮できるトンネル内監視員通路の擁壁構成用部材を提供することが目的とされていた。
【０００３】
【特許文献１】特開２００２−３２７６００号公報
【発明の開示】
【発明が解決しようとする課題】
【０００４】
かくして、本発明は、前記従来の課題をさらに解消するために創案されたものであって、工事費の節減が可能なトンネル通路の施工方法を提供し、かつ現場での工程を極力減らし、工期を大幅に短縮できるトンネル通路の通路形成部材を提供することが目的とするものである。
【課題を解決するための手段】
【０００５】
本発明によれば、
トンネル幅方向端部に設けられる通路の施工方法であって、
トンネルの側壁と間隔をおいて水路用部材を敷設し、該水路用部材とトンネル側壁との間には、あらかじめ形成された、基礎片と基礎片の一端より略垂直に立ち上がる通路壁片とにより略Ｌ字状をなし、かつ基礎片の中央には貫通孔が設けられた通路壁用部材を、前記通路壁片につき垂直方向へ向けて立設すると共に、トンネル長手方向に接続して設置してなり、
該通路壁片とトンネル側壁との間からコンクリートを打設し、打設したコンクリートにつき前記基礎片の貫通孔を通過させて一体化させた、
ことを特徴とし、
または、
トンネルの側壁と間隔をおいて水路用部材を敷設し、該水路用部材とトンネル側壁との間には、あらかじめ形成された、基礎片と基礎片の一端より略垂直に立ち上がる通路壁片とにより略Ｌ字状をなし、かつ基礎片の中央には貫通孔が設けられた通路壁用部材を、前記通路壁片につき垂直方向へ向けて立設すると共に、トンネル長手方向に接続して設置してなり、
該通路壁片とトンネル側壁との間及び水路用部材と前記通路壁片との間からコンクリートを打設し、打設したコンクリートにつき前記基礎片の貫通孔を通過させて一体化させた、
ことを特徴とし、
または、
トンネル幅方向端部に設けられる通路の施工方法であって、
トンネルの側壁と間隔をおいて水路用部材を敷設し、該水路用部材とトンネル側壁との間には、あらかじめ形成された、基礎片と基礎片の一端より略垂直に立ち上がる通路壁片とにより略Ｌ字状をなし、かつ基礎片の中央には貫通孔が設けられた通路壁用部材を、前記通路壁片につき垂直方向へ向けて立設すると共に、トンネル長手方向に接続して設置してなり、
該通路壁片とトンネル側壁との間及び水路用部材と前記通路壁片との間からコンクリートを打設し、打設したコンクリートにつき前記基礎片の貫通孔を通過させて一体化させると共に、前記基礎片上に所定厚みの基礎コンクリート部を形成し、前記通路壁片とトンネル側壁とのスペースに配線路部材あるいは埋設路部材を配置し、前記通路壁片先端とトンネル側壁間をコンクリートでシールした、
ことを特徴とし、
または、
基礎片と基礎片の一端より略垂直に立ち上がる通路壁片とにより略Ｌ字状をなし、かつ基礎片の中央には基礎片上下方向へ貫通する貫通孔が設けられ、該貫通孔内に補強筋が露出して配置された、
ことを特徴とするものである。
【発明の効果】
【０００６】
本発明によれば、さらに工事費を節減してトンネル通路が施工でき、かつ現場での工程を極力減らし、工期を大幅に短縮してトンネル通路が形成できる。
【発明を実施するための最良の形態】
【０００７】
以下本発明を図に示す実施例に基づいて説明する。
図１においてトンネル１の幅方向端部に例えばトンネル監視者用などの通路２が形成されることとなる。
ここで、トンネル１の側壁３と所定の間隔をおき、かつトンネル１の進行方向と平行方向となるよう、直方体状をなす本体にその軸方向へ向かい貫通する水路用の中空部４が設けられ、かつ該中空部４と上面部とがスリット状の排水溝５によって連通されて形成された水路用部材６が接続されて敷設される。
【０００８】
さらに、敷設された水路用部材６とトンネル１の側溝３との間における底面部には所定の厚みを有して均しコンクリートが現場で打設され、いわゆる基礎部７が形成されている。
この基礎部７上に間隔保持具８を介して通路壁用部材９が立設される。
ここで、通路壁用部材９は、あらかじめ工場などで作製された、いわゆるプレキャストコンクリート製品であり、当該既設の通路壁用部材９が現場であるトンネル１の状況に合わせて使用されるものとされている。
【０００９】
該通路壁用部材９は、所定の厚みを有する長方形状をなす基礎片１０と、該基礎片１０の幅方向一端より略垂直方向へ立ち上がる通路壁片１１とを備えて略Ｌ字状をなして形成されている。ここで、通路壁片１１は所定の厚みを有する略長方形状をなし、その内側表面側には方形状のくぼみ１２が設けられている。なお、当該くぼみは複数個設けられていても構わないし、全く設けられてなくとも構わないものである。
【００１０】
また、長手方向両端には接続のため接続部２０，２０が各々上下方向に２カ所設けられている。なお、この接続部２０について２カ所以上設けても構わないし、設けていない場合であっても構わないものである。
各図から理解されるように、基礎片１０の中央部には上下方向に貫通し、長方形状をなす貫通孔１３が２カ所に設けられ、かつ当該貫通孔１３には略十字に交差する補強筋１４が露出して設けられている。
【００１１】
ついで、図２に示すように、立設された通路壁片１１とトンネル側壁３との間の空間からコンクリート１５が打設される。しかして、打設されたコンクリート１５は前記貫通孔１３を通過し、立設されている通路壁用部材９の構成部材である基礎片１０の裏面まで流動する。
【００１２】
さらに、図２から理解されるように、水路用部材６と通路壁片１１との隙間からもコンクリート１５を打設するものとする。そして、図３に示す現場打ちコンクリート表面１６の位置まで打設し、その後打設したコンクリート１５を養生、固化させる。
なお、水路用部材６と通路壁片１１との隙間からのコンクリート１５の打設は必須要件ではない。前述したように、立設された通路壁片１１とトンネル側壁３との間の空間からコンクリート１５が打設され、打設されたコンクリート１５が前記貫通孔１３を通過し、立設されている通路壁用部材９の構成部材である基礎片１０の裏面まで流動し、そこからさらにコンクリートを流動させて水路用部材６と通路壁片１１との隙間を塞ぐようにしても構わない。
【００１３】
しかして、前記のようにコンクリート１５を打設すると、たとえ通路壁用部材９をあらかじめ工場で作製し、それを現場で使用するものであったとしても、全体としてコンクリート１５を現場打ちして作製したのと同様の強度の有するトンネル１の通路２を得ることができる。
【００１４】
ここで、前記基礎片１０の貫通孔１３には交差する補強筋１４が露出して設けられており、該露出された補強筋１４は現場打ちのコンクリート１５としっかり密着するものとなる。よって、なおさら通路壁用部材９の立設強度が高くなる。すなわち、基礎片１０に設けられた貫通孔１０を通過させて現場打ちのコンクリート１６を打設しており、これにより、あらかじめ工場で作製された通路壁用部材９は現場打ちのコンクリート１５と一体化し、極めて高い強度を有するものとなるからである。
【００１５】
しかも、従来型枠を現場で組み立て、該型枠内にすべてコンクリートを現場打ちにして施工していたのに比較し、施工コストもきわめて安価にすることができ、その施工の工期もきわめて短縮したものにできるとのメリットがある。
その後、通路壁片１１とトンネル側壁３との空間内に例えばコンクリート部材により形成された配線路部材１７あるいは埋設路部材１８を敷設した後、これらの部材を埋設する。
なお、ここで、使用される埋設物については何ら限定されるものではないが、通常の土砂などを使用して構わないものである。
【００１６】
また、通路壁片１１の内側面には前記したように、くぼみ１２，１２が設けられているが、埋設物がこのくぼみ１２に入り込むため、このくぼみ１２があっても通路壁片全体の強度は保持でき、しかも使用するコンクリート量を前記くぼみ１２の分だけ削減することができるものとされる。
【００１７】
そして、図４に示すように、通路壁片１０の上端部とトンネル側壁３との間をシールすべくコンクリート１５を現場打ちしてシールコンクリート１９を形成する。
ここで、前記シールコンクリート１９が固化すると、その表面がトンネル１内の通路となる。  
【図面の簡単な説明】
【００１８】
【図１】本発明の構成を説明する構成説明図（その１）である。
【図２】本発明の構成を説明する構成説明図（その２）である。
【図３】本発明の構成を説明する構成説明図（その３）である。
【図４】本発明の構成を説明する構成説明図（その４）である。
【図５】通路壁用部材の構成を説明する構成説明図である。
【図６】従来の構成を説明する構成説明図である。
【符号の説明】
【００１９】
１      トンネル
２      通路
３      トンネルの側壁
４      中空部
５      スリット状の排水溝
６      水路用部材
７      基礎部
８      間隔保持具
９      通路壁用部材
１０    基礎片
１１    通路壁片
１２    くぼみ
１３    貫通孔
１４    補強筋
１５    コンクリート
１６    現場打ちコンクリート表面
１７    配線路部材
１８    埋設路部材
１９    シールコンクリート
２０    接続部
【図１】
2007198039.tif 000003
【図２】
2007198039.tif 000004
【図３】
2007198039.tif 000005
【図４】
2007198039.tif 000006
【図５】
2007198039.tif 000007
【図６】
2007198039.tif 000008